(57)【要約】      （修正有）【課題】配管の方向如何にかかわらず、アンプユニットの放熱設計の容易性を実現する。【解決手段】中心軸を有する筒状の変換器ケース２１と、この変換器ケース２１の中心軸に直交して設けられた隔壁２２と、前記変換器ケース２１の一方の面側に設けられ表面にデータを表示する板状の表示器２３と、を具備する変換器において、前記表示器２３の裏面に一方の面が接するアンプケース２４と、このアンプケース２４内に配置されるアンプユニット２５と、前記アンプケース２４の他方の面に一方の面が取付けられ他方の面が前記隔壁２２に対して回転摺動自由に接する板状のベースボード２６とで構成し、前記表示器２３の表示面の上下方向が地表面に対して鉛直方向になるように前記ベースボード２６を前記隔壁２２に対して回動摺動自由に調節した後に前記ベースボード２６を前記隔壁２２に固定する。【選択図】図１
2012112854.tif 000002
【特許請求の範囲】
【請求項１】
中心軸を有する筒状の変換器ケースと、
この変換器ケースの内壁の途中に前記中心軸に直交して設けられた隔壁と、
前記変換器ケースの一方の面側に設けられ表面にデータを表示する板状の表示器と、
を具備する変換器において、
前記表示器の裏面に一方の面の所定位置が接する絶縁性の樹脂材よりなる箱状のアンプケースと、
このアンプケース内の所定位置に配置されるアンプユニットと、
前記アンプケースの他方の面に一方の面が取付けられ他方の面が前記隔壁の面に前記中心軸を中心に前記隔壁に回転摺動自由に接する板状のベースボードと、
前記表示器の表面の表示面の上下方向が地表面に対して鉛直方向になるように前記ベースボードを前記隔壁面に対して前記中心軸を中心に回動摺動自由に調節した後に前記ベースボードを前記隔壁に固定する固定手段と、
を具備したことを特徴とする変換器。
【請求項２】
前記アンプケースに充填された放熱性ゲル
を具備したことを特徴とする請求項１記載の変換器。
【請求項３】
前記固定手段は、前記ベースボードを前記隔壁に固定するベースボード固定ねじが使用されたこと
を特徴とする請求項１又は請求項２記載の変換器。
【発明の詳細な説明】
【技術分野】
【０００１】
本発明は、変換器に関するものである。
更に詳述すれば、配管の方向如何にかかわらず、容易に表示器が回転出来て、表示器の上下方向を鉛直方向に配置でき、アンプユニットの放熱設計の容易性を実現できる変換器に関するものである。
【背景技術】
【０００２】
流量計等のインラインの変換器は、配管が地表面に対して水平方向あるいは鉛直方向に配置されることにより、変換器の表面に配置された表示器は、配管が水平方向の場合は問題ないが、配管が鉛直方向の場合は、表示器が横を向いてしまう。表示器の表示面の上下方向が鉛直方向になるように、表示器を回転させ、取付け直すことが必要であった。
【０００３】
図６は従来より一般に使用されている従来例の要部構成説明図で、（ａ）は要部構成説明図、（ｂ）は動作説明図である。
図において、１は変換器、２は変換器ケースである。
アンプユニット３は、変換器ケース２内に配置されている。
表示器４は、変換器ケース２の一方の面に、表示器取り付けねじ４ａにより取付けられている。
表示器４とアンプユニット３とは、ケーブル５により接続されている。
変換器１は、センサ部Ａに取付けられている。
【０００４】
以上の構成において、配管の方向が鉛直方向に配置された場合には、例えば、図６（ｂ）に示す如く、表示器４が横を向いてしまう。
そこで、例えば、表示器４のみを９０度反時計回りに回転させて、変換器ケース２に取付け直すことにより、表示器４の上下方向Ｂを鉛直方向にすることが出来る。
【０００５】
図７は従来より一般に使用されている他の従来例の要部構成説明図で、（ａ）は要部斜視説明図、（ｂ）は（ａ）の反対側から見た要部斜視説明図である。
図において、アンプユニット１１の側に１個のオスコネクタ１２が設けられている。
表示器１３の側には、９０度毎に４個のメスコネクタ１４が設けられている。
【０００６】
以上の構成において、配管の方向が鉛直方向に配置された場合には、たとえば、表示器１３のみを９０度時計回りに回転させて、オスコネクタ１２をメスコネクタ１４にコネクタ接続させて、表示器１３をアンプユニット１１に取付けることにより、表示器１３の上下方向を鉛直方向にすることが出来る。
【先行技術文献】
【特許文献】
【０００７】
【特許文献１】特開２００８−１９１０００号公報
【発明の概要】
【発明が解決しようとする課題】
【０００８】
このような装置においては、以下の問題点がある。
図６のケーブル接続の場合、ケーブル５の余長のためのスペースが必要であり、小型化が困難であった。また、ケーブル５を使用するためコストも高くなっていた。
【０００９】
図７のコネクタ接続では、９０度毎に、コネクタ１４が必要であるため、通常使用しないコネクタを具備することになり、無駄があった。
また、図６，図７において、アンプユニット３，１１自体は回転しないため、配管の取り付け向きにより、設置状態が異なるため、どの向きでも、アンプユニット３，１１の放熱を問題ないようにする必要があり、放熱設計等が非常に困難であった。
【００１０】
本発明の目的は、上記の課題を解決するもので、配管の方向如何にかかわらず、容易に表示器が回転出来て、表示器の上下方向を鉛直方向に配置でき、アンプユニットの放熱設計の容易性を実現できる変換器を提供することにある。
【課題を解決するための手段】
【００１１】
このような課題を達成するために、本発明では、請求項１の変換器においては、
中心軸を有する筒状の変換器ケースと、この変換器ケースの内壁の途中に前記中心軸に直交して設けられた隔壁と、前記変換器の一方の面側に設けられ表面にデータを表示する板状の表示器と、を具備する変換器において、前記表示器の裏面に一方の面の所定位置が接する絶縁性の樹脂材よりなる箱状のアンプケースと、このアンプケース内の所定位置に配置されるアンプユニットと、前記アンプケースの他方の面に一方の面が取付けられ他方の面が前記隔壁の面に前記中心軸を中心に前記隔壁に回転摺動自由に接する板状のベースボードと、前記表示器の表面の表示面の上下方向が地表面に対して鉛直方向になるように前記ベースボードを前記隔壁面に対して前記中心軸を中心に回動摺動自由に調節した後に前記ベースボードを前記隔壁に固定する固定手段と、を具備したことを特徴とする。
【００１２】
本発明の請求項２の変換器においては、請求項１記載の変換器において、
前記アンプケースに充填された放熱性ゲルを具備したことを特徴とする。
【００１３】
本発明の請求項３の変換器においては、請求項１又は請求項２記載の変換器において、
前記固定手段は、前記ベースボードを前記隔壁に固定するベースボード固定ねじが使用されたことを特徴とする。
【発明の効果】
【００１４】
本発明の請求項１によれば、次のような効果がある。
表示器、アンプケース、アンプユニット、ベースボードが一体になっているため、表示器、アンプケース、アンプユニット、ベースボードが、一つのユニットとして容易に取り外せ、且つ、変換器全体が水平、垂直の向きになっても、地表面に対して常に一定の向きで、このユニットの取り付けが出来る。また、表示器も常に地表面に対して一定の向きに設定できる。即ち、表示器単体での回転も不要となる変換器が得られる。
【００１５】
更に、電子部品の位置も常に一定となるため、アンプユニットの位置が回転することを考慮する必要がなく、高温部品を特定の一定の場所に、常に設置できる等、放熱設計が容易となる変換器が得られる。
また、アンプユニットは、絶縁性の樹脂ケースで覆われているため、ショートの恐れがなく、一般安全上も問題なく、取り外し、取り付け位置の変更が、容易に出来る変換器が得られる。
【００１６】
本発明の請求項２によれば、次のような効果がある。
アンプユニットが内蔵されたアンプケースに、放熱性ゲルが充填可能にできるので、取り外し、取り付け位置の変更が、容易に出来ると共に、放熱特性も向上できる変換器が得られる。
【００１７】
本発明の請求項３によれば、次のような効果がある。
ベースボードは、変換器ケースにベースボード固定ねじにより取付けられたので、ベースボード固定ねじを取り外すだけで、アンプユニット、アンプケース、ベースボードが、一つのユニットとして容易に取り外せる変換器が得られる。
【図面の簡単な説明】
【００１８】
【図１】本発明の一実施例の要部構成説明図である。
【図２】図１の正面図である。
【図３】図１の要部平面説明図である。
【図４】図１の動作説明図である。
【図５】本発明の他の実施例の要部構成説明図である。
【図６】従来より一般に使用されている従来例の要部構成説明図である。
【図７】従来より一般に使用されている他の従来例の要部構成説明図である。
【発明を実施するための形態】
【００１９】
以下本発明を図面を用いて詳細に説明する。
図１は本発明の一実施例の要部構成説明図、図２は図１の正面図、図３は図１の要部平面説明図、図４は図１の動作説明図である。
図において、図６と同一記号の構成は同一機能を表す。
以下、図６との相違部分のみ説明する。
【００２０】
図１において、変換器ケース２１は、中心軸Ｃを有し、筒状をなす。
隔壁２２は、変換器ケース２１の内壁の途中に、中心軸Ｃに直交して設けられている。  表示器２３は、変換器ケース２１の一方の面側に設けられ、表面にデータを表示し板状をなす。
アンプケース２４は、表示器２３の裏面に、一方の面の所定位置が接し絶縁性の樹脂材よりなり箱状をなす。この場合は、アンプケース２４と表示器２３とは、接着により一体化されている。
【００２１】
所定位置とは、表示器２３の裏面の中心と、一方の面の中心とが一致して同心状に配置されている関係を言う。
アンプユニット２５は、アンプケース２４内の所定位置に配置されている。
この場合は、図３に示す如く、プリント基板２５１が中心軸Ａに平行に２枚配置されている。
【００２２】
ベースボード２６は、アンプケース２４の他方の面に、一方の面が取付けられ、他方の面が隔壁２２の面に、中心軸Ｃを中心に、隔壁２２に回転摺動自由に接し板状をなす。
この場合は、アンプケース２４は、アンプケース固定用ねじ２７により、ベースボード２６に固定されている。
【００２３】
固定手段２８は、表示器２３の表面の表示面の上下方向Ｂが、地表面に対して鉛直方向になるように、ベースボード２６を隔壁２２の面に対して中心軸Ａを中心に、回動摺動自由に調節した後に、ベースボード２６を隔壁２２に固定する。
この場合は、固定手段は、ベースボード固定用ねじ２８が使用され、ベースボード２６は隔壁２２に固定されている。
端子台３１とターミナルボード３２は、ベースボード２６に取付けられている。
【００２４】
この結果、
表示器２３、アンプケース２４、アンプユニット２５、ベースボード２６が一体になっているため、表示器２３、アンプケース２４、アンプユニット２５、ベースボード２６が、一つのユニットとして容易に取り外せ、且つ、変換器全体が水平、垂直の向きになっても、地表面に対して常に一定の向きで、このユニットの取り付けが出来る。また、表示器２３も常に地表面に対して一定の向きに設定できる。即ち、表示器２３単体での回転も不要となる変換器が得られる。
【００２５】
更に、電子部品の位置も常に一定となるため、アンプユニット２５の位置が回転することを考慮する必要がなく、高温部品を特定の一定の場所に、常に設置できる等、放熱設計が容易となる変換器が得られる。
また、アンプユニット２５は、絶縁性の樹脂材のケース２４で覆われているため、ショートの恐れがなく、一般安全上も問題なく、取り外し、取り付け位置の変更が、容易に出来る変換器が得られる。
【００２６】
ベースボード２６は、変換器ケース２１にベースボード固定ねじ２８により取付けられたので、ベースボード固定ねじ２８を取り外すだけで、アンプユニット２５、アンプケース２４、ベースボード２６が、一つのユニットとして容易に取り外せる変換器が得られる。
【００２７】
図５は、本発明の他の実施例の要部構成説明図である。
図５において、放熱性ゲル４２は、アンプケース４１内に充填されている。
この結果、アンプケース４１に充填された放熱性ゲル４２が設けられたので、取り外し、取り付け位置の変更が、容易に出来ると共に、放熱特性も向上できる変換器が得られる。
【００２８】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００２９】
１      変換器
２      変換器ケース
３      アンプユニット
４      表示器
４ａ    表示器取り付けねじ
５      ケーブル
１１    アンプユニット
１２    オスコネクタ
１３    表示器
１４    メスコネクタ
２１    変換器ケース
２２    隔壁
２３    表示器
２４    アンプケース
２５    アンプユニット
２５１  プリント基板
２６    ベースボード
２７    アンプケース固定用ねじ
２８    固定手段
２８    ベースボード固定用ねじ
３１    端子台
３２    ターミナルボード
４１    アンプケース
４２    放熱性ゲル
Ａ      センサ部
Ｂ      上下方向
Ｃ      中心軸
【図１】
2012112854.tif 000003
【図２】
2012112854.tif 000004
【図３】
2012112854.tif 000005
【図４】
2012112854.tif 000006
【図５】
2012112854.tif 000007
【図６】
2012112854.tif 000008
【図７】
2012112854.tif 000009